(57)【要約】【目的】投入された紙幣を紙幣収納部に収納する紙幣処理装置において、収納済み紙幣を引き抜く不正行為を防止する。【構成】紙幣処理装置１は、挿入口３から挿入された紙幣Ｐを、紙幣搬送路５に沿って搬送して、判別センサ６により真券と判定されたもの紙幣収納部４に収納するものであって、紙幣搬送路５の所定個所における紙幣又はその類似物の有無に応じて機械的に変位する紙幣検知レバー２３と、検知レバー２３の変位に連動して紙幣収納部４に通じる経路を開閉する収納部シャッター２０を具える。紙幣又はその類似物が存在するときの検知レバー２３の変位に連動して前記収納部シャッターが閉鎖動作し、紙幣又はその類似物が存在しないときの検知レバー２３の変位に連動して収納部シャッター２０が開放する。【選択図】　図１
2004139189.tif 000002
【特許請求の範囲】
【請求項１】
挿入口から挿入された紙幣を、紙幣搬送路に沿って搬送し、該紙幣搬送路中に配設された紙幣識別部にて該挿入された紙幣の真偽判別を行い、該紙幣識別部にて真券と判定された紙幣を紙幣収納部に収納する紙幣処理装置であって、
前記紙幣搬送路の所定個所に配置され、該所定個所における紙幣又はその類似物の有無に応じて機械的に変位する紙幣検知手段と、
前記検知手段の変位に連動し、前記紙幣搬送路から前記紙幣収納部に通じる経路を開閉する収納部シャッターと
を具備し、前記所定個所に紙幣又はその類似物が存在するときの前記検知手段の変位に連動して前記収納部シャッターが閉鎖動作し、前記所定個所に紙幣又はその類似物が存在しないときの前記検知手段の変位に連動して前記収納部シャッターが開放動作することを特徴とする紙幣処理装置。
【請求項２】
挿入口から挿入された紙幣を、紙幣搬送路に沿って搬送し、該紙幣搬送路中に配設された紙幣識別部にて該挿入された紙幣の真偽判別を行い、該紙幣識別部にて真券と判定された紙幣を紙幣収納部に収納する紙幣処理装置であって、
前記挿入口から紙幣又はその類似物が挿入された時に前記紙幣搬送路を開放する入口シャッターと、
前記入口シャッターの開閉動作に連動し、前記紙幣搬送路から前記紙幣収納部に通じる経路を開閉する収納部シャッターと
を具備し、前記入口シャッターの開放動作に連動して前記収納部シャッターが閉鎖動作し、前記入口シャッターの閉鎖動作に連動して前記収納部シャッターが開放動作することを特徴とする紙幣処理装置。
【発明の詳細な説明】
【０００１】
【発明の属する技術分野】
この発明は、自動販売機、両替機、あるいは遊戯機器等に搭載され、投入された紙幣を紙幣収納部に収納する紙幣処理装置に関し、特に紙幣収納部に収納された紙幣の引き抜きを防止するようにした紙幣処理装置に関する。
【０００２】
【従来の技術】
一般に、紙幣を取り扱う自動販売機等の機器本体には、投入された紙幣の真偽を識別し、真券と判定された紙幣のみを受け入れるようにした紙幣処理装置が搭載されている。このような紙幣処理装置は、概ね、紙幣挿入口から挿入された紙幣を該装置本体内部へ搬送するための紙幣搬送路と、該搬送路において該挿入された紙幣の真偽を識別する紙幣識別部と、該紙幣識別部で真券と判定された紙幣を収納する紙幣収納部とから構成される。従来より、この種の紙幣処理装置において、テープや糸等を貼付けた紙幣を用いて商品購入等を行った後、外部から該紙幣に貼付けられたテープや糸等を手繰り寄せることで、装置内に収納された該紙幣（収金済みの紙幣）を引き抜く不正行為が行われる、という問題があった。
こうした不正行為を防止するための従来の技術としては、例えば、紙幣搬送路の入口に該搬送路を開閉するシャッターを配設して、紙幣の挿入時には該シャッターを開くことで、該搬送路を開放して紙幣の装置内への進入を許し、紙幣がシャッター部分を通過した後に該シャッターを閉じることで、該搬送路を閉鎖して装置内に搬送された紙幣の引き抜きを防止するものが知られている。あるいは、紙幣搬送路の所定の個所において、紙幣搬送方向の一方向についてのみ紙幣の通過を許す引き戻し防止レバーを配設することで、該引き戻し防止レバーを通過した後の紙幣の引き抜きを防止するものが知られている。
【０００３】
【発明が解決しようとする課題】
しかしながら、上記のようなシャッターと引き戻し防止レバーとを両方具えた従来の紙幣処理装置においても、前記シャッターは、紙幣に限らず何らかの物体の挿入が検知されると開放されてしまい、また、前記引き戻し防止レバーは、該レバーの個所を何らかの物体が通過すると容易に変位してしまうため、例えば樹脂等からなる紙幣のように肉薄な弾性部材等を用いることで紙幣搬送路を不正に開放されてしまう恐れがあった。すなわち、先ず、テープや糸等を貼付けた紙幣を用いて商品の購入等を行い、その紙幣を紙幣収納部に収納させた後、前述のような弾性部材が紙幣搬送路内に挿入されると、該部材によって先ずシャッターが開放され、且つ、その閉鎖が阻止される。更に、該部材が紙幣搬送路の奥に挿入され、該部材により引き戻し防止レバーの位置が、紙幣の通過を許す方向に変位されると、このレバーによる搬送路閉鎖が解かれてしまう。こうして、前記シャッター及び前記レバーによる搬送路閉鎖を不正に解くことで、先のテープ等を貼付けた収金済みの紙幣を紙幣収納部から引き抜く不正行為が成立してしまう。このように、従来の紙幣処理装置では、上記のような弾性部材等を用いた不正行為に対する安全性が不十分であった。
【０００４】
この発明は、上述の点に鑑みてなされたもので、紙幣収納部に収納された紙幣を引き抜く不正行為を防止するようにした紙幣処理装置を提供しようとするものである。
【０００５】
【課題を解決するための手段】
この発明は、挿入口から挿入された紙幣を、紙幣搬送路に沿って搬送し、該紙幣搬送路中に配設された紙幣識別部にて該挿入された紙幣の真偽判別を行い、該紙幣識別部にて真券と判定された紙幣を紙幣収納部に収納する紙幣処理装置であって、前記紙幣搬送路の所定個所に配置され、該所定個所における紙幣又はその類似物の有無に応じて機械的に変位する紙幣検知手段と、前記検知手段の変位に連動し、前記紙幣搬送路から前記紙幣収納部に通じる経路を開閉する収納部シャッターとを具備し、前記所定個所に紙幣又はその類似物が存在するときの前記検知手段の変位に連動して前記収納部シャッターが閉鎖動作し、前記所定個所に紙幣又はその類似物が存在しないときの前記検知手段の変位に連動して前記収納部シャッターが開放動作することを特徴とする。
【０００６】
これによれば、前記所定個所に紙幣又はその類似物が存在するときの紙幣検知手段の変位に連動して収納部シャッターが閉鎖動作して、紙幣搬送路から紙幣収納部に通じる経路を閉鎖する。このため、例えば、弾性部材等の紙幣類似物が紙幣搬送路に挿入された場合、該検知手段が該弾性部材等の紙幣類似物により変位され、収納部シャッターが閉鎖動作するので、紙幣収納部に通じる経路は閉鎖される。従って、前述したような弾性部材を用いて紙幣収納部から紙幣を引き抜く不正行為を確実に防止できる。また、収納部シャッターは、紙幣検知手段の変位に連動して、機械式に開放・閉鎖動作するため、収納部シャッターを駆動のために光センサやソレノイド等の格別の部材が不要となるので、部品点数を増すことなく、比較的簡単な構成によって、紙幣収納部から収金済み紙幣を引き抜く不正行為を確実に防止できる紙幣処理装置が実現できる。
【０００７】
また、本発明は、挿入口から挿入された紙幣を、紙幣搬送路に沿って搬送し、該紙幣搬送路中に配設された紙幣識別部にて該挿入された紙幣の真偽判別を行い、該紙幣識別部にて真券と判定された紙幣を紙幣収納部に収納する紙幣処理装置であって、
前記挿入口近傍に設置され、紙幣又はその類似物が挿入された時に前記紙幣搬送路を開放する入口シャッターと、前記入口シャッターの開閉動作に連動し、前記紙幣搬送路から前記紙幣収納部に通じる経路を開閉する収納部シャッターとを具備し、前記入口シャッターの開放動作に連動して前記収納部シャッターが閉鎖動作し、前記入口シャッターの閉鎖動作に連動して前記収納部シャッターが開放動作することを特徴とする。
入口シャッターが開放動作すると、これに連動して収納部シャッターが閉鎖動作するので、弾性部材等の紙幣類似物が紙幣搬送路に挿入された時には、入口シャッターが開放されているので、収納部シャッターは紙幣収納部に通じる経路を閉鎖する。従って、この場合も、前述のような弾性部材等を用いて紙幣収納部から収金済み紙幣を引き抜く不正行為を確実に防止できる。
【０００８】
【発明の実施の形態】
以下、添付図面を参照して、この発明の一実施例について説明する。
図１は、この発明の第１実施例に係る紙幣処理装置１の内部構造を示す概略側面図である。図１に示すように、この紙幣処理装置１の装置本体２には、外部から紙幣を挿入するための挿入口３が設けられており、装置本体２内の下方には、紙幣を収納するための紙幣収納部４が形成されている。そして、該挿入口３から該紙幣収納部４に連なり、挿入口３から挿入された紙幣を通過させるための紙幣搬送路５が設けられている。紙幣搬送路５には、挿入された紙幣の真偽を判定するための紙幣判別用センサ６（紙幣識別部）が設置される。
紙幣搬送路５には、該搬送路５を開閉するために、入口シャッター１０と収納部シャッター２０との、２つのシャッターが設置される。入口シャッター１０は、紙幣搬送路５の入口側、つまり挿入口３付近に設置され、判別用センサ６へ通じる経路を開閉する。収納部シャッター２０は、紙幣搬送路５の出口側、つまり紙幣収納部４の手前に設置され、紙幣収納部４に通じる経路を開閉する。
【０００９】
紙幣搬送路５において、入口側（挿入口３付近）の適宜の個所には、紙幣の挿入を検知するための入口センサ１１が設けられており、この入口センサ１１の後方に、前記入口シャッター１０が設置される。入口シャッター１０の後方には、通過検知用センサ１２が設けられており、この通過検知用センサ１２の後方に、前記紙幣判別用センサ６が設置される。入口センサ１１は紙幣の挿入を検知すると出力信号を発生し、これに応じて入口シャッター１０の開放制御が行われて、紙幣搬送路５が開放される。通過検知用センサ１２は、紙幣搬送路５内へ挿入された紙幣が該センサ１２の設置された個所を通過した（挿入された紙幣の後端がセンサ１２の個所を抜けた）ことを検知すると出力信号を発生し、これに応じて入口シャッター１０の閉鎖制御が行われて、紙幣搬送路５が閉鎖される。図１は、この入口シャッター１０が閉じた状態を示す。なお、入口センサ１１、通過検知用センサ１２、及び、紙幣判別用センサ６としては、光センサや磁気式センサ等の従来から知られる適宜のセンサを用いてよい。また、図示の例では、紙幣の通過検知と真偽判別とは、通過検知用センサ１２と紙幣判別用センサ６により夫々独立して行われるものとして、２つのセンサ（通過検知用センサ１２と紙幣判別用センサ６）が設置される構成例を示したが、これに限らず、紙幣の通過検知及び真偽判別を１つのセンサで行うよう構成することも可能である。
【００１０】
収納部シャッター２０は、次に説明するシャッター駆動機構により、紙幣搬送路５に対して進退動作するよう支持されている。収納部シャッター２０を駆動するシャッター駆動機構は、アーム２２と、検知用レバー２３と、バネ２４とから構成され、検知用レバー２３により紙幣の通過を機械的に検知し、該検知用レバー２３の検知動作に連動してアーム２２が動作して、収納部シャッターの開閉動作を行うものである。アーム２２は、その一端部において、軸２５を支点として回動自在に装置本体２に取付されており、他方の端部において、収納部シャッター２０を可動式に支持する。図示の例では、収納部シャッター２０はアーム２２との連結部２１において突起２１ａを有する。アーム２２の前記他方の端部には、上下方向に延びる長孔２２ａが形成されている。この長孔２２ａに該突起２１ａが係合することで、収納部シャッター２０は、アーム２２に対して、回動可能且つ該長孔２２ａに沿って上下動可能に連結される。検知用レバー２３は、角部２３ａを有する肘折った形状に形成されており、その一端部において、装置本体２に対して、軸２６を支点として回動自在に取付され、他方の端部において、アーム２２に対して可動式に連結される。図示の例では、検知用レバー２３の前記他方の端部には、アーム２２の長手方向に倣って横長な係合孔２３ｂが設けられており、この係合孔２３ｂに対して、アーム２２に設けられた連結突起２２ｂが遊嵌される。検知用レバー２３とアーム２２とは、この連結突起２２ｂ及び係合孔２３ｂを動作支点として連動する。また、アーム２２には、バネ２４が取り付けされており、このバネ２４の付勢力によって、アーム２２は上方（アーム２２を引き上げる方向）に常時付勢されている。
【００１１】
検知用レバー２３は、紙幣の通過を機械的に検出しうるよう角部２３ａが紙幣搬送路５内に突出するよう配置されており、図示の例では、該角部２３ａは判別用センサ６の後方付近に突出するよう配置されている。検知用レバー２３は、該角部２３ａの突出個所における紙幣の有無に応じて、検知位置と非検知位置とに変位する。すなわち、検知用レバー２３上（角部２３ａ上）に紙幣（若しくは何らかの物体）が存在する場合、該紙幣により検知用レバー２３は、下方に押動されて、軸２６を支点にして下方に回転変位して、検知位置に位置される。この検知用レバー２３の下方変位に連動して、アーム２２が軸２５を支点にして下方へ回転変位する。収納部シャッター２０は、アーム２２の下方変位に連動して降ろされ、紙幣搬送路５を閉鎖する。図１には、紙幣搬送路５内を搬送される紙幣（図において符号Ｐで示す）により、検知用レバー３が押し下げられ、収納部シャッター２０が閉じた状態を示す。
一方、検知用レバー２３上（角部２３ａ上）に紙幣（若しくは何らかの物体）がない場合は、バネ２４の付勢力により、アーム２２が軸２５を支点にして上方に引き上げられるので、収納部シャッター２０は、アーム２２に追従して引き上げられて、搬送路５を開放する。また、バネ２４によるアーム２２の上方変位に連動して、検知用レバー２３は、軸２６を支点にして上方に回転変位されて、非検知位置に位置する。このとき、検知用レバー２３の角部２３ａは、紙幣搬送路５内に突出する。図２は、図１の状態から紙幣（図においてＰ）が搬送路５奥へ搬送されて、検知用レバー２３上を通過した後、収納部シャッター２０が開放された状態を示す。
【００１２】
紙幣搬送路５には、紙幣を搬送するための搬送機構として、紙幣搬送用ベルト４０と、この紙幣搬送用ベルト４０を駆動するための駆動用モータ（図示省略）の回転を該ベルト４０に伝達する複数（図において４つ）の駆動側タイミングプーリ４１，４２，４３，４４とが具備されている。該ベルト４０は、搬送路５に沿って配設され、駆動側タイミングプーリ４１〜４４に緊張状態に巻き掛けられている。前記モータにより駆動側タイミングプーリ４１〜４４が回転されると、この回転がベルト４０に伝達されて、紙幣搬送路５に沿って該ベルト４０が移動する。紙幣搬送用ベルト４０の上面側には、搬送路５に沿って所定間隔で配置された複数（図において７つ）の従動側ローラ４５，４６，４７，４８，４９，５０，５１が、該ベルト４０の上面に接するよう配置されている。この搬送機構によれば、前記入口センサ１１により、紙幣の挿入を検知して、出力信号が発生されると、紙幣搬送用ベルト４０は、紙幣搬送方向に（図１においては、時計廻りに）回転を開始する。これにより、紙幣搬送路５内に導入された紙幣は、回転する紙幣搬送用ベルト４０と各従動側ローラ４５〜５１との間を通って、紙幣搬送路５に沿って紙幣収納部４まで搬送される。
【００１３】
図１に示すように、紙幣搬送路５には、更に、引き戻し防止レバー７が具備されている。引き戻し防止レバー７は、装置本体２に枢支されており、前記紙幣搬送方向に対して鋭角を為すよう紙幣搬送路５を遮蔽している。この引き戻し防止レバー７により、紙幣搬送方向についてのみ紙幣の通過を許し、該レバー７を通過した紙幣の引き抜きを防止している。なお、この引き戻し防止レバー７に、該レバー７の回動を検出するセンサを配設して、紙幣通過検知用のレバーとしても利用しうる。
【００１４】
紙幣収納部４は、上面に複数の紙幣３５が積載されるスタッカプレート３０とスタッカプレート３０を下面から常時押圧する円錐コイルバネ３１とを含んで構成される。スタッカプレート３０の上方の所定個所には、紙幣搬送路５から搬送された紙幣を紙幣収納部４へ導入するための紙幣導入部３０ａが形成されており、この導入部３０ａに導入された紙幣を、押圧手段３２により下方へ押し下げることで、該紙幣が導入部３０ａの開口を通過して収納部４内に入り込み、該紙幣がスタッカプレート３０上に積載され、紙幣収納部４内に収納された状態となる。前記押圧手段３２は、例えば、紙幣を押し下げるための押圧板３３と、該押圧板３３を上下動させる伸縮自在なパンタグラフ式リンク機構３４とにより構成される。
【００１５】
次に、この紙幣処理装置１の概略動作の一例について図１及び図２を参照して説明する。当該紙幣処理装置１の紙幣挿入口３に紙幣を挿入すると、入口センサ１１により紙幣の挿入が検出される。入口センサ１１が紙幣の挿入を検知すると、入口シャッター１０が開放されて、処理装置１内への紙幣の挿入を許す。また、該入口センサ１１の紙幣挿入の検知により、図示しない駆動用モータが回転を開始して、駆動側タイミングプーリ４１〜４４を駆動し、紙幣搬送用ベルト４０の回転が開始される。挿入された紙幣は、紙幣搬送用ベルト４０上に載置され、開放された入口シャッター１０を通過して、紙幣搬送路５に沿って搬送される。
そして、該紙幣が判別用センサ６の個所へ移送されると、該判別用センサ６により紙幣の真偽判別が開始される。
【００１６】
検知用レバー２３は、通常時（角部２３ａ上に紙幣等がないとき）には、角部２３ａが紙幣搬送路５内に突出した位置（非検知位置）にて待機している。
前記挿入された紙幣が、角部２３ａ上に到達すると、検知用レバー２３は、該紙幣によって下方に押動されることで検知位置へ変位される。この検知用レバー２３の回転変位（検知動作）に連動して、アーム２２は、下方に押動され下方に回転変位する。アーム２２の端部に連結された収納部シャッター２０は、アーム２２の下方変位に連動して、紙幣搬送路５内に降りて、紙幣搬送路５における紙幣収納部４に通じる経路を閉鎖する。このように、紙幣搬送路５内を搬送される紙幣若しくは何らかの物体により、検知用レバー２３が作動することで、収納部シャッター２０が閉鎖される。なお、挿入された紙幣等が該角部２３ａ上に位置している間は、検知用レバー２３が下方変位されたままなので、紙幣搬送路５を閉鎖した状態が保たれる。
【００１７】
一方、挿入された紙幣の後端が紙幣通過センサ１２の個所を通過すると、紙幣通過センサ１２はこれを検知して、入口シャッター１０が閉じて、紙幣搬送路５の入口を閉鎖する。
【００１８】
判別用センサ６による紙幣の真偽判別の結果、挿入された紙幣が真券と判別されると、紙幣の搬送が一時停止され、商品購入等の何らかの操作を可能とする。
このように挿入紙幣が一時保留された状態において、該挿入紙幣は、検知用レバー２３上にて停止して、該検知用レバー２３を押し下げているので、紙幣搬送路５は閉鎖された状態に保たれる。商品購入等の何らかの操作が終了することに応じて、一時保留された挿入紙幣を収金するために紙幣の搬送が再開されると、該紙幣は紙幣搬送路５に沿って移送されて、検知用レバー２３（角部２３ａ上）を通り過ぎる。
前記紙幣の後端が角部２３ａ上を通過しきると、該紙幣による検知用レバー２３の押し下げ状態が解かれ、検知用レバー２３により下方に押動されていたアーム２２は、バネ２４の付勢力によって、軸２５を支点にして上方へ回転変位する。このアーム２２の上方変位に連動して、収納部シャッター２０が引き上げられるので、収納部シャッター２０は、紙幣搬送路５から退却して、紙幣搬送路５の紙幣収納部４に通じる経路を開放する。また、このときアーム２２の上方への変位に連動して、検知用レバー２３も軸２６を支点にして上方に回転変位するので、角部２３ａが紙幣搬送路５内に突出して、次に挿入される紙幣（又はその類似物）を検出可能な状態に復帰する。
【００１９】
一時保留位置から収金された挿入紙幣は、紙幣搬送路５に沿って搬送され、引き戻し防止レバー７を通過した後、搬送経路が開放された紙幣収納部４の紙幣導入部３０ａまで搬送される。紙幣が該導入部３０ａに到達すると、収納処理が開始され、該紙幣は、スタッカプレート３０上に積載され、紙幣収納部４内に収納される。なお、上記の動作例では、一例として、判別用センサ６による紙幣の真偽判別の後、挿入紙幣を紙幣搬送路５にて一時保留するものとしたが、これに限らず、判別用センサ６での真偽判別の後、該挿入紙幣を一時保留することなく（紙幣の搬送を一時停止することなく）、紙幣収納部４へ搬送するようにしてもよい。
【００２０】
このように、当該紙幣収納装置１によれば、検知用レバー２３が紙幣等を検知すると、つまり、紙幣等により検知用レバー２３が押し下げられると、これに連動して収納部シャッター２０が閉鎖される。従って、紙幣搬送路５内に（検知用レバー２３上に）紙幣またはその類似物がある場合は、紙幣収納部４に通じる経路は絶対的に閉鎖される。これにより、従来の装置では十分に防止できなかったセルロイド等の弾性部材を用いた不正行為を防止することができる。すなわち、弾性部材等の紙幣類似物を紙幣搬送路５内に挿入して、紙幣搬送路５を不正に開放しようとしても、検知用レバー２３により該弾性部材の挿入が検知されて、収納部シャッター２０が閉鎖される。従って、例えば予めテープ等を貼付けされた紙幣を紙幣収納部４に収納させたとしても、収納部シャッター２０は検知用レバー２３の下方変位が解かれない限りは開放されないので、紙幣収納部４から収金済みの紙幣を引き抜くことを阻止できる。
【００２１】
次に、本発明に係る第２の実施例について、図３及び図４を参照して説明する。上述の図１及び図２に示した第１の実施例では、収納部シャッター２０を開閉するシャッター駆動機構の１要素として、紙幣（又はその類似物）の有無に応じて機械的に変位する検知用レバー２３を設け、この検知用レバー２３の変位に連動して収納部シャッターの開閉動作が行われたが、この第２実施例によれば、収納部シャッター２０の開閉動作は、入口シャッター１０の開閉動作に連動して行われる。
【００２２】
図３及び図４において、収納部シャッター２０を支持するアーム２２は、入口シャッター１０に対して適宜の連結手段を介して連結され、入口シャッター１０の開閉動作（上下動）に連動して、軸２５を支点として回動可能である。図示の例では、アーム２２と入口シャッター１０の連結手段の一例として、入口シャッター１０の基部１０ａの所定個所に係合突起１０ｂが設けられ、一方、アーム２２には該係合突起１０ｂに係合する係合孔２２ｃが設置される。アーム２２に設けられた係合孔２２ｃに対して入口シャッター１０に設けられた係合突起１０ｂが遊嵌されることで、入口シャッター１０とアーム２２とが、係合突起１０ｂ及び係合孔２２ｃを動作支点として連結される。これにより、入口シャッター１０の開閉動作（上下動）に連動してアーム２２が上下方向に変位し、このアーム２２の上下変位に連動して、該アーム２２の端部に連結された収納部シャッター２０の開閉動作が行われる。なお、アーム２２と入口シャッター１０の連結手段は、上記の例に限らず、入口シャッター１０の開閉動作（上下動）に連動してアーム２２が上下動可能であれば、どのような構成であってもよい。
【００２３】
入口シャッター１０は、例えば図示しないモータの駆動によって開閉制御されるもので、入口センサ１１にて紙幣の挿入が検知されると、入口シャッター１０は下方変位して紙幣搬送路５から退却し、入口シャッター１０が開放される。また、通過検知用センサ１２にて該挿入された紙幣の通過が検知されると、入口シャッター１０は上方変位して紙幣搬送路５に進入し、入口シャッター１０が閉鎖される。図３は入口シャッター１０が開放した状態を示し、図４は入口シャッター１０が閉鎖した状態を示す。
図３において、入口センサ１１により紙幣又はその類似物の挿入が検知されると、入口シャッター１０が開放（下方へ変位）される。アーム２２は、入口シャッター１０の開放動作（下方変位）に連動して、軸２５を支点として下方変位する。収納部シャッター２０は、アーム２２の下方変位に連動して下方へ降りて、紙幣搬送路５を閉鎖する。なお、図３では、パンタグラフ式リンク機構３４により押圧板３３が下方へ押動された状態を示している。このパンタグラフ式リンク機構３４の駆動用のモータとして入口シャッター１０の駆動用モータを共用することができ、このことは、部品点数の削減やコスト低減等の点で好ましい。
一方、図４において、挿入紙幣（又はその類似物）Ｐが、通過検知用センサ１２を通過すると、入口シャッター１０が閉鎖（上方へ変位）される。アーム２２は、入口シャッター１０の閉鎖動作（上方変位）に連動して引き上げられるので、軸２５を支点として上方に変位する。収納部シャッター２０は、アーム２２の上方変位に追従して引き上げられて、紙幣搬送路５を開放する。
【００２４】
このように、入口シャッター１０の開閉動作に連動して、収納部シャッター２０を駆動することで、入口シャッター１０が開放されている時、すなわち、紙幣又はその類似物により紙幣搬送路５が開放された時には、収納部シャッター２０を閉鎖して、紙幣収納部４に通じる経路を絶対的に閉鎖することができるので、紙幣収納部４から収金済みの紙幣を不正に引き抜くことを阻止できる。
【００２５】
【発明の効果】
以上の通り、この発明によれば、弾性部材等を用いて紙幣収納部から収金済み紙幣を引き抜く不正行為を確実に防止でき、且つ、そのような紙幣処理装置を比較的簡単な構成で実現できるという優れた効果を奏する。
【図面の簡単な説明】
【図１】本発明の一実施例に係る紙幣処理装置の内部構造を示す概略側面図。
【図２】図１に示す紙幣処理装置の収納部シャッターが開放された状態を示す図。
【図３】本発明の別の実施例に係る紙幣処理装置の内部構造を示す概略側面図。
【図４】図３に示す紙幣処理装置の収納部シャッターが開放された状態を示す図。
【符号の説明】
１　紙幣処理装置，２　装置本体，３　挿入口，４　紙幣収納部，５　紙幣搬送路，６　判別用センサ（紙幣識別部），１０　入口シャッター，２０　収納部シャッター，２２　アーム，２３　検知用レバー（検出手段）
【図１】
2004139189.tif 000003
【図２】
2004139189.tif 000004
【図３】
2004139189.tif 000005
【図４】
2004139189.tif 000006